(57)【特許請求の範囲】
【請求項１】
室内に配置され、吸込口から空気を吸い込んで該吸込口よりも開口面積の小さな吹出口へ吹き出すことができる送風装置と、該送風装置の動作によって空気が流れる送風経路と、該送風経路に設けられ送風経路を介して送風される空気と熱交換する熱交換器と、室内の空気の温度を検出可能な温度検出手段と、前記送風経路内の前記吹出口に臨ませて配された風向き調整用のルーバとを備え、
送風経路を流れる空気の温度を上下して、室内の暖房、冷房又除湿運転を行うことが可能な空気調和機において、
前記送風装置を、正転時には前記吸込口から空気を吸い込んで、前記吹出口から空気を吹き出し、逆転時には前記吹出口から空気を吸い込んで、前記吸込口から空気を吹き出す正逆回転可能な可逆回転ファンとし、
冷房運転時に室内の温度が設定温度付近になったことを前記温度検出手段が検知したとき、前記可逆回転ファンを逆転駆動させるようにしたことを特徴とする空気調和機。
【請求項２】
冷房運転時に室内の温度が設定温度付近になったことを前記温度検出手段が検知したとき、可逆回転ファンの逆転駆動の回転数が低速で可変制御されることを特徴とする請求項１に記載の空気調和機。
【請求項３】
吸込口に水平方向に延びて平行に配された複数の桟が、吸込みの気流方向の上流側が高く下流側が低くなるような傾斜を有していることを特徴とする請求項１又は２に記載の空気調和機。
【請求項４】
前記可逆回転ファンの羽根は正転方向に前向きの傾斜を有することを特徴とする請求項１〜３のいずれかに記載の空気調和機。
【請求項５】
除湿運転時にも前記可逆回転ファンを逆転駆動させるようにしたことを特徴とする請求項１〜４のいずれかに記載の空気調和機。
【発明の詳細な説明】
【０００１】
【発明の属する技術分野】
本発明は、空気調和機に関するものである。
【０００２】
【従来の技術】
現在の空気調和機は、ファンの回転により吸込口から吸い込まれた室内の空気を熱交換器にて熱交換させ、風向き調整用のルーバを備えた吹出口から前方又は下方に送風することで、室内を冷房又は暖房するように構成されているものが主流である。
【０００３】
しかしながら、冷房運転時における設定温度付近や除湿運転時では、下方への冷風の吹き出しは必ずしも必要ではなく、むしろ使用者に不快感を与えることもあるし、しかも、吹き出された冷風は下降する性質があるため、風の吹き出し方向を敢えて上方へ変更した方が室内の快適な温度分布の形成には望ましい場合がある。
【０００４】
以下、特開平８−２８５３０８号公報に開示された空気調和機について図１４を参照して説明する。本体ケース１０１には斜め上方に向かって開口する第１の空気出入口１０６、斜め下方に向かって開口する第２の空気出入口１０７が設けられている。本体ケース１０１内に案内板１０２を配設することによって第１の空気出入口１０６と第２の空気出入口１０７とを連通する逆Ｃ字状に湾曲した通風路１１４が形成されている。
【０００５】
この通風路１１４内には第１の空気出入口１０６に対向するように第１の熱交換器１０３が、第２の空気出入口１０７に対向するように第２の熱交換器１０４が配設され、これら第１，第２の熱交換器１０３，１０４はくの字状を成している。そして、これら第１，第２の熱交換器１０３，１０４との間の内側空間内には可逆回転ファン１１１が水平な軸１１２まわりに正逆転可能に配設されている。
【０００６】
第１の空気出入口１０６には第１のグリル１０５が、第２の空気出入口１０７には第２のグリル１０８がそれぞれ配設されている。そして、第１の熱交換器１０３の下方には第１のドレンパン１０９が、第２の熱交換器１０４の下方には第２のドレンパン１１０がそれぞれ配設されている。
【０００７】
冷房運転時には可逆回転ファン１１１はファンモータ（図示せず）により駆動されて軸１１２まわりに正転する。そして、第１，第２の熱交換器１０３，１０４は室外ユニット（図示せず）からの冷媒が循環し、これら第１，第２の熱交換器１０３，１０４はそれぞれ蒸発器として機能する。
【０００８】
このようにして、室内空気は実線矢印で示すように、第２の空気出入口１０７から第２のグリル１０８を経て通風路１１４内に吸い込まれ、第２の熱交換器１０４を通過する過程で冷媒と熱交換することによって冷却される。次いで、この空気は可逆回転ファン１１１によって付勢された後、第１の熱交換器１０３を通過する過程で冷却されて冷風となり、第１のグリル１０５を経て第１の空気出入口１０６から斜め上方に向かって室内に吹き出される。冷房運転中に第１，第２の熱交換器１０３，１０４の表面に結露したドレンは第１，第２のドレンパン１０９，１１０内に滴下する。
【０００９】
暖房運転時には可逆回転ファン１１１は逆転する。そして、第１，第２の熱交換器１０３，１０４はそれぞれ凝縮器として機能する。
【００１０】
このようにして、室内空気は点線矢印で示すように、第１の空気出入口１０６から第１のグリル１０５を経て通風路１１４内に吸い込まれ、第１の熱交換器１０３を通過する過程で加熱される。次いで、この空気は可逆回転ファン１１１によって付勢された後、第２の熱交換器１０４を通過する過程で加熱されて温風となり、第２のグリル１０８を経て第２の空気出入口１０７から斜め下方に向かって室内に吹き出される。
【００１１】
このようにして、冷房運転時には冷風は斜め上方に向かって室内に吹き出され、暖房運転時には温風は斜め下方に向かって室内に吹き出されるので、室内に快適な温度分布を形成することができる。
【００１２】
【発明が解決しようとする課題】
ところで、空気の吸い込み量と吹き出し量とのバランスがとれていれば、開口面積の小さい吹出口から吹き出させた方が、冷風又は温風を更に付勢して遠くまで届かせることができるから室内の温度分布の均一化には有利であるし、風向きを変更するルーバを吹出口の内部近傍に設けた方が風向きの微調整がしやすいという現状がある。
【００１３】
しかしながら、上記公報に開示された従来の空気調和機では、第１，第２の空気出入口１０６，１０７はともに略同一の開口面積を有し、しかもルーバを備えていないため、それ以前からあった吸込口と吹出口とを室内ユニット側に形成した空気調和機と比較しても、風向きの上下の変更だけで室内の快適な温度分布の形成に顕著な効果があるかどうかはいささか疑問である。
【００１４】
本発明は上記従来の問題点に鑑みてなされたものであり、風の吹き出し方向を室内の状況に応じて適切に変更することにより、更にきめ細かで快適な温度分布を室内に形成できる空気調和機を提供することを目的とする。
【００１５】
【課題を解決するための手段】
上記目的を達成するため本発明は、室内に配置され、吸込口から空気を吸い込んで該吸込口よりも開口面積の小さな吹出口へ吹き出すことができる送風装置と、該送風装置の動作によって空気が流れる送風経路と、該送風経路に設けられ送風経路を介して送風される空気と熱交換する熱交換器と、室内の空気の温度を検出可能な温度検出手段と、前記送風経路内の前記吹出口に臨ませて配された風向き調整用のルーバとを備え、送風経路を流れる空気の温度を上下して、室内の暖房、冷房又除湿運転を行うことが可能な空気調和機において、前記送風装置を、正転時には前記吸込口から空気を吸い込んで、前記吹出口から空気を吹き出し、逆転時には前記吹出口から空気を吸い込んで、前記吸込口から空気を吹き出す正逆回転可能な可逆回転ファンとし、冷房運転時に室内の温度が設定温度付近になったことを前記温度検出手段が検知したとき、前記可逆回転ファンを逆転駆動させるようにしたことを特徴とする。
【００２２】
これによると、冷房運転時又は暖房運転時は、可逆回転ファンが通常の送風に制御され、室内空気は吸込口から通風路内に吸い込まれ、熱交換器を通過する過程で冷媒と熱交換することによって冷却される。次いで、この空気は可逆回転ファンによって付勢された後、ルーバにより風向きを調整され、吹出口から室内に吹き出される。一方、冷房運転時の設定温度付近は、可逆回転ファンが逆転駆動に制御され、室内空気は吹出口からルーバを経て通風路内に吸い込まれ、可逆回転ファンにより付勢された後、熱交換器を通過する過程で冷却される。次いで、この冷えた空気は吸込口から室内に吹き出される。
【００２６】
【発明の実施の形態】
以下、本発明の実施の形態について図面を参照して説明する。図１は本発明に係る空気調和機の室内ユニット１２の一例を示す断面図であり、該断面は、可逆回転ファン２０の回転軸の方向（以下、軸方向と称する）に対して垂直な面での断面（以下、垂直断面と称する）である。室内ユニット１２の外郭は、ケーシング１１と、フロントパネル２１とから構成される。
【００２７】
ここで、本実施形態では、室内ユニット１２の外郭に対して可逆回転ファン２０が配置されている側を室内ユニット１２の内側、該内側と相対する側を外側といい、可逆回転ファン２０の回転軸に対してフロントパネル２１の設置されている方向（図１において向かって左方）を前方とし、該前方と相対する方向を後方（図１において向かって右側）とする。
【００２８】
可逆回転ファン２０の回転軸に対して垂直な面上であって、かつ、前後の方向と直角な方向を上下の方向とし、該上下の方向のうち可逆回転ファン２０に対してフロントパネル２１の回動軸６０が設置されている側を上方、該上方と相対する方向を下方とする。
【００２９】
フロンパネル２１は、回動軸６０を一端に備えており、該回動軸６０はケーシング１１の上前部に設けられた溝に着脱自在に枢着され、例えばエアフィルタ２２を清掃する際に開閉を行う。また、フロントパネル２１には、室内ユニット１２のユニット内部とユニット外部とを連通する吸込口１３が備えられている。吸込口１３の形状は軸方向に開口したスリット状をしている。
【００３０】
また、前記フロントパネル２１の内側の対向する位置にはエアフィルタ２２が設けられ、エアフィルタ２２を通過する空気に含まれる塵埃を捕集している。該エアフィルタ２２の後方には熱交換器１７が配置され、図示しない冷凍サイクルの運転によって冷房時は、該熱交換器１７が周囲温度よりも低温に冷却され、暖房時は周囲温度よりも高温に加熱される。
【００３１】
更に、室内ユニット１２の内部には通常の送風方向と、該通常の送風方向とは逆方向との双方向に送風可能な可逆回転ファン２０が設置され、可逆回転ファン２０の送風経路１６は、ドレンパン２３と、ケーシング１１の一部を構成する案内板１５とによって、垂直断面上の送風経路１６は仕切られている。該ドレンパン２３は、熱交換器１７の下部に配置され、冷房時に該熱交換器１７が冷却されることによって発生する結露が落下してきたときに捕集する機能を有するとともに、上述したように可逆回転ファン２０の送風経路の一部を構成している。
【００３２】
そして、該ドレンパン２３の下部で、かつ、送風経路１６内には、縦ルーバ１９が設けられ、更にその前方には、横ルーバ１８ａ，１８ｂが設けられいる。送風経路内で該横ルーバ１８ａ，１８ｂが設けられている部分が室内ユニット１２から外側に吹き出される部分であり、吹出口１４となる。
【００３３】
以上のような構成で、通常の送風方向では、可逆回転ファン２０の運転によっ空気の流れは以下のように流れることとなる。即ち、室内ユニット１２の外部にある空気は、吸込口１３から室内ユニット１２の内部に吸い込まれた後、エアフィルタ２２によって空気中に含まれている塵埃が捕集され、次に縦ルーバ１９の設置質によって軸方向の空気の流れが決められ、更に横ルーバ１８ａ，１８ｂの設置位置によって上下方向の空気の流れが決められ、吹出口１４を経て室内ユニット１２の内部から外部へと吹き出される。
【００３４】
また、逆風の送風方向では、可逆回転ファン２０の運転によって、前記通常の送風方向における風の流れとは逆に風が流れることとなる。即ち、室内ユニット１２の外部にある空気は、吹出口１４から室内ユニット１２の内部に吸い込まれた後、横ルーバ１８ａ，１８ｂを通過し、縦ルーバ１９を通過した後、エアフィルタ２２によって空気中に含まれる塵埃が捕集され、吸込口１３を経た後、室内ユニット１２の内部から外部へと吹き出される。
【００３５】
可逆回転ファン２０の具体例としては、クロスフローファンを通常の運転時と逆風の運転時とで互いに逆回転させることで、可逆送風を可能とすることができるが、可逆送風が可能な構成であれば、上記の例に限られるものではない。
【００３６】
尚、このような空気調和機の室内ユニット１２を室内に配置する場合には、ケーシング１１の後方側面に爪部を設け、室内の壁に取り付ける取付板に設けられた爪部と嵌め合わせることによって取り付ける。室内における室内ユニット１２の取付位置は、通常はおおよそ使用者の身長より高い位置に配置される。
【００３７】
また、送風経路１６の熱交換器１７よりもフロントパネル２１側には、第１の温度検出手段（図示せず）が備えられ、通常の送風時の室内温度を検出し、送風経路１６の熱交換器１７よりも可逆回転ファン２０の配置側には第２の温度検出手段（図示せず）が備えられ、逆風運転時の室内の温度を２箇所で検出している。ここで、温度検出手段がリモートコントローラ２８（以下、リモコン２８として記載）に設けられている場合は、通常の送風又は逆風のいずれの送風方向であっても室内温度を一つの温度検出手段で計測することが可能である。
【００３８】
図２は、この空気調和機の制御装置のブロック図である。熱交換器１７へ冷媒を循環させる種々の周波数で駆動されるコンプレッサ２４と、ファンモータ２５を介して種々の回転数で回転駆動される可逆回転ファン２０とが接続された制御部４０の入力側には、リモコン２８の操作に伴う無線信号を受信する受信部２６と、室内の温度を随時検出するサーミスタ等の温度検出手段２７と、音声を拾うマイク３０とが接続されている。
【００３９】
また、制御部４０には受信部２６が受け取った設定温度等の運転条件を格納する記憶部３１と、前記温度検出手段２７からの検出信号と前記記憶部３１に格納された設定温度との差を求める比較部３２と、前記記憶部３１又は前記比較部３２からの入力に基づき冷房又は暖房の運転モードを判定するモード判定部３３と、前記モード判定部３３及び前記比較部３２からの情報に基づき可逆回転ファン２０の回転数とコンプレッサ２４の駆動周波数を決定する演算部３５と、前記モード判定部３３又は前記演算部３５からの情報に基づき可逆回転ファン２０の回転方向を必要に応じて切り替える回転切替部３４と、マイク３０からの音声信号を認識して所定の制御信号に変換する音声認識部２９とが内蔵されている。
【００４０】
可逆回転ファン２０の回転数及びコンプレッサ２４の駆動周波数は図３及び図４のように、それぞれｆ０〜ｆ１２の１３段階及びｃ０〜ｃ１０の１１段階で制御され、これらの組み合わせにより空気調和機の能力は冷房時は図５のようにＣ０〜Ｃ７の８段階、暖房時は図６のようにＨ０〜Ｈ７の８段階及び除湿モードでは図７のようにＤ０〜Ｄ４の５段階に制御されるようになっている。尚、これらの各段階のうち、可逆回転ファン２０の回転数に負（−）の符号が付いているものは、可逆回転ファン２０がその回転数で逆転駆動されることを意味している。
【００４１】
図８は本発明に係る空気調和機の冷房運転時の制御の一例のフローチャート、図９はその場合の室内温度と設定温度との温度差の時間変化を制御パターンとの関係で示すグラフ、図１０はその空気調和機の暖房運転時の制御の一例のフローチャート、図１１はその空気調和機の運転制御の流れの一例を示すフローチャート、図１２はリモコンの平面図である。
【００４２】
図８〜図１２を参照して本発明に係る空気調和機の運転制御について説明する。まず、図１１のステップＳ１においてリモコン２８を受信部２６（図２）に向け、運転・停止スイッチ４１（図１２）を操作し、電源を投入する。その後、温度設定キー４２（図１２）や除湿キー４３（図１２）等の各種キー操作により運転条件を入力する。
【００４３】
上記運転条件が記憶部３１（図２）に記憶された後、ステップＳ２に移行し、除湿、冷房又は暖房モードのいずれであるかの判断がモード判定部３３（図２）によりなされ、除湿モードであれば、ステップＳ３に移行し、可逆回転ファン２０（図１）は回転切替部３４（図２）により逆転するようにファンモータ２５（図２）により駆動される。従って、除湿運転時は、始めから可逆回転ファン２０は逆転による風向きに制御される。
【００４４】
この場合、設定温度を入力する必要はないので、開始直後の室温を記憶部３１に格納しておき、温度検出手段により随時検出される室温との差を比較部３２で算出し、その値に応じて演算部３５（図２）により上記制御パターンＤ０〜Ｄ４（図７参照）のいずれかで運転されるようになっている。そして、熱交換器１７には室外ユニット（図示せず）からの冷媒が循環し、熱交換器１７は蒸発器として機能する。尚、このときの制御のフローチャートは簡単のため省略する。
【００４５】
これにより、室内空気は図１の点線矢印で示すように、吹出口１４から横ルーバ１８ａ，１８ｂ及び縦ルーバ１９を経て送風経路１６内に吸い込まれ、可逆回転ファン２０により付勢された後、熱交換器１７を通過する過程で冷却される。次いで、この空気はエアフィルタ２２及びグリル２１を経て吸込口１３の全面から穏やかに室内に吹き出される。除湿運転中に熱交換器１７の表面に結露したドレン水はドレンパン２３に滴下する。尚、除湿運転中にリモコン２８の無風キー４４（図１２）を押すと、可逆回転ファン２０は正転に切り替わり、従来通りの吹出口１４からの送風を伴う除湿モードに変更されるようにしてもよい。
【００４６】
一方、ステップＳ２で冷房モードとモード判定部３３（図２）により判定されたときは、ステップＳ４に移行し、温度検出手段２７（図２）からの入力に基づいて比較部３２（図２）及び演算部３５（図２）により決定された上記制御パターンＣ０〜Ｃ７で（図５参照）で運転される。そして、熱交換器１７（図１）には室外ユニット（図示せず）からの冷媒が循環し、熱交換器１７は蒸発器として機能する。
【００４７】
ステップＳ４を図８を参照して更に詳細に説明すると、ステップＳＵＢ０において温度検出手段２７（図２）によって室内の温度が検出された後、ステップＳＵＢ１でこの室内温度と記憶部３１に格納された設定温度との差Δｔが３．５℃と比較され、それより大きければ、ステップＳＵＢ２に移行し制御パターンＣ７での冷房運転となる。更に、冷房が進んでΔｔが２．８℃より大きく３．５℃以下となれば、ステップＳＵＢ１の肯定判定がなされ、ステップＳＵＢ３に移行して制御パターンＣ６での冷房運転となる。
【００４８】
同様にステップＳＵＢ５，ＳＵＢ７及びＳＵＢ９で、それぞれ２．１℃＜Δｔ≦２．８℃，１．４℃＜Δｔ≦２．１℃及び０．７℃＜Δｔ≦１．４℃であれば、制御パターンＣ５（ステップＳＵＢ６），Ｃ４（ステップＳＵＢ８）及びＣ３（ステップＳＵＢ１０）での冷房運転となる。
【００４９】
これにより、室内空気は図１の実線矢印で示すように、吸込口１３からグリル２１及びエアフィルタ２２を経て送風経路１６内に吸い込まれ、熱交換器１７を通過する過程で冷媒と熱交換することによって冷却される。次いで、この空気は可逆回転ファン２０によって付勢された後、縦ルーバ１９及び横ルーバ１８ａ，１８ｂにより風向きを調整され、吹出口１４から室内に吹き出される。冷房運転中に熱交換器１７の表面に結露したドレン水はドレンパン２３に滴下する。
【００５０】
そして、ステップＳＵＢ９の肯定判定、かつ、ステップＳＵＢ１１の否定判定、即ち０℃＜Δｔ≦０．７℃と判定されると、制御パターンＣ２での冷房運転となる（ステップＳＵＢ１２）。また、ステップＳＵＢ１１の肯定判定、かつ、ステップＳＵＢ１３の否定判定、即ち０℃−０．７＜Δｔ≦０℃と判定されると、制御パターンＣ１での冷房運転となる（ステップＳＵＢ１４）。このとき、可逆回転ファン２０は逆転にて回転駆動される。この場合、図９のように、温度差０℃を振幅の中心として制御パターンがＣ２とＣ１との間で交互に入れ替わるように制御される。
【００５１】
これにより、室内空気は図１の点線矢印で示すように、吹出口１４から横ルーバ１８ａ，１８ｂ及び縦ルーバ１９を経て送風経路１６内に吸い込まれ、可逆回転ファン２０により付勢された後、熱交換器１７を通過する過程で冷却される。次いで、この空気はエアフィルタ２２及びグリル２１を経て吸込口１３の全面から穏やかに室内に吹き出される。この運転中に熱交換器１７の表面に結露したドレン水はドレンパン２３に滴下する。
【００５２】
従って、室内の天井近くの比較的温度の高いところから床面近くの温度の低いところまで徐々に温度が変化する温度分布ができても、逆風送風によって下方に滞留した低温の空気が上方に送られるように循環するため、全身の体感温度も略一定となり、冷房運転時、足元が冷えすぎて寒いといった不快感が解消され、きめ細かで快適な温度分布を室内に形成できる。
【００５３】
ところで、更に室内の過冷房がなされ、Δｔ≦−０．７℃となると、ステップＳＵＢ１３の肯定判定で、制御パターンＣ０、即ち可逆回転ファン２０及びコンプレッサ２４ともにＯＦＦでの冷房運転となる（ステップＳＵＢ１５）。そして、ステップＳＵＢ２，４，６，８，１０，１２，１４及び１５において対応する制御パターンで冷房運転が開始されると、再びステップＳＵＢ０に戻り、室温の検出から始まる上記の一連の制御が繰り返されることとなる。
【００５４】
一方、図１１のステップＳ２で暖房モードとモード判定部３３（図２）により判定されたときは、ステップＳ５に移行し、温度検出手段２７（図２）からの入力に基づいて比較部３２（図２）及び演算部３５（図２）により決定された上記制御パターンＨ０〜Ｈ７で（図６参照）で運転される。そして、熱交換器１７（図１）には室外ユニット（図示せず）からの冷媒が循環し、熱交換器１７は凝縮器として機能する。
【００５５】
ステップＳ５を図１０を参照して更に詳細に説明すると、ステップＳＵＢ２０において温度検出手段２７（図２）によって室内の温度が検出された後、ステップＳＵＢ２１でこの室内温度と記憶部３１（図２）に格納された設定温度との差Δｔが−３．５℃と比較され、それより小さければ、ステップＳＵＢ２２に移行し制御パターンＨ７での暖房運転となる。更に、暖房が進んでΔｔが−３．５℃以上で−２．８℃より小さくなれば、ステップＳＵＢ２１の肯定判定がなされ、ステップＳＵＢ２３に移行して制御パターンＨ６での暖房運転となる。
【００５６】
同様にステップＳＵＢ２５，ＳＵＢ２７，ＳＵＢ２９，ＳＵＢ３１及びＳＵＢ３３で、それぞれ−２．８℃≦Δｔ＜−２．１℃，−２．１℃≦Δｔ＜−１．４℃，−１．４℃≦Δｔ＜−０．７℃，−０．７℃≦Δｔ＜０℃及び０℃≦Δｔ＜０．７℃であれば、制御パターンＨ５（ステップＳＵＢ２６），Ｈ４（ステップＳＵＢ２８），Ｈ３（ステップＳＵＢ３０），Ｈ２（ステップＳＵＢ３２）及びＨ１（ステップＳＵＢ３４）での暖房運転となる。
【００５７】
これにより、室内空気は図１の実線矢印で示すように、吸込口１３からグリル２１及びエアフィルタ２２を経て送風経路１６内に吸い込まれ、熱交換器１７を通過する過程で冷媒と熱交換することによって加熱される。次いで、この空気は可逆回転ファン２０によって付勢された後、縦ルーバ１９及び横ルーバ１８ａ，１８ｂにより風向きを調整され、吹出口１４から室内に吹き出される。
【００５８】
ところで、更に室内の暖房がなされ、Δｔ≧０．７℃となると、ステップＳＵＢ３３の肯定判定で、制御パターンＨ０、即ち可逆回転ファン２０及びコンプレッサ２４ともにＯＦＦでの暖房運転となる（ステップＳＵＢ３５）。そして、ステップＳＵＢ２２，２４，２６，２８，３０，３２，３４及び３５において対応する制御パターンで暖房運転が開始されると、再びステップＳＵＢ２０に戻り、室温の検出から始まる上記の一連の制御が繰り返されることとなる。
【００５９】
このようにして、冷房運転時又は暖房運転時には吹出口から斜め下方に向かって風が室内に吹き出されるので、冷風又は温風を確実に遠くまで行き届かせて速やかに室内を設定温度まで冷房又は暖房できる。また、冷房運転時に室内の温度が設定温度付近になったとき、又は除湿運転時には開口面積の大きな吸込口から斜め上方に向かって風が室内に吹き出されるので、足元付近にある比較的温度の低い空気が上方へ運ばれ、室内の上方にある比較的温度の高い空気が足元付近に下降する。従って、室内の空気が従来の空気調和機による冷房又は除湿とは逆向きに循環され、更にきめ細かで快適な温度分布を室内に形成できる。
【００６０】
尚、逆転による風向き制御は冷房運転時の設定温度付近又は除湿運転時の他、例えば、冷房運転開始直後の室内を速やかに冷房したい場合に行わせるようにしてもよい。この場合は、勢いよく吹き出される冷風が直接使用者の身体に当たることが防止される。また、逆転による風向き制御を暖房運転時に行ってもよく、この場合は、勢いのある温風が直接使用者の身体に当たることが防止される。
【００６１】
尚、上記の可逆回転ファン２０の正転及び逆転による風向きの切り替え制御は、上記の如く室内の温度がある条件を満たしたときに自動的になされるようにしてもよく、また、図１２のリモコン２８に設けた無風キー４４を押圧操作することで、使用者が所望するときにのみ行わせるようにしてもよい。この場合、無風キー４４を再度押すことにより正転に復帰するようにすると、リモコン２８の操作が分かりやすくてよい。
【００６２】
或いは、図２の制御部４０内の音声認識部２９を介して接続された室内ユニット１２側のマイク３０に向かって、例えば、「無風」と発音することで、風向きを逆向きに切り替えるようにしてもよい。尚、このような音声による機器の動作制御を実現するシステムは既知であるので、ここでは詳述しない。
【００６３】
また、図１３に示すように、パソコン、電話機、携帯電話等の通信端末３６を用いてインターネット等のネットワーク３７を介して異なる場所から遠隔的に操作することにより、図１２のリモコン２８の各種キー操作に該当するあらゆる操作を行えるようにしてもよい。この場合、ホームサーバー等のサーバー３８を介在させてもよい。
【００６４】
更には、プロバイダ等の情報を提供する役務機関と契約をしているユーザを対象とするサービスの一環として、役務機関側からネットワーク３７を介して空気調和機又は空気調和機の接続されたサーバー３８にアクセスし、気象情報等を提供することにより、自動で空気調和機の運転を行わせるようにしてもよい。
【００６５】
そして、本実施形態では可逆送風装置として、正逆回転可能な１つの可逆回転ファンを使用する例に付いて説明したが、逆風専用のファンを従来の正転のみのファンと別途に設けてもよいし、本来の吸込口から風の吹き出しが可能なファンとは異なる送風手段であっても構わない。
【００６６】
【発明の効果】
以上説明したように本発明によると、空気の吸込口と、空気の吹出口と、前記吸込口と前記吹出口との間を連通する通風路と、前記通風路内に前記吸込口に対向して配された熱交換器とを有する空気調和機において、前記吸込口から送風可能な可逆送風装置を前記通風路内に設けたことにより、可逆送風装置を通常の送風に制御して吸込口から吸い込んだ空気を、吹出口から送風する通常の運転によって速やかに設定温度まで冷房又は暖房できるとともに、必要に応じて可逆送風装置を逆風送風に切り替えて吹出口から吸い込んだ空気を吸込口から送風できる。従って、室内の状況に応じたきめ細かで快適な温度分布を形成できる。
【００６７】
また、本発明は、空気の吸込口と、空気の吹出口と、前記吸込口と前記吹出口との間を連通する通風路と、前記通風路内の前記吹出口に臨ませて配された風向き調整用のルーバと、前記通風路内に前記吸込口に対向して配された熱交換器とを有する空気調和機において、前記吸込口から送風可能な可逆送風装置を前記通風路内の前記熱交換器と前記ルーバとの間に設けたことにより、可逆送風装置を通常の送風に制御して吸込口から吸い込んだ空気を、ルーバを介して風向きを微調整した後、吹出口から送風する通常の運転によって速やかに設定温度まで冷房又は暖房できるとともに、必要に応じて可逆送風装置を逆風送風に切り替えて吹出口から吸い込んだ空気を吸込口から送風できる。従って、室内の状況に応じたきめ細かで快適な温度分布を形成できる。
【００６８】
この場合、特定の条件下、特に、冷房運転時に室内の温度が設定温度付近になったことを前記温度検出手段が検知したとき、又は除湿運転時に、前記可逆送風装置を逆風で送風させるように制御すると、通常の送風方向に送風し、室内の温度が設定温度付近になったときの温度分布である、室内の下部（床側）が比較的低温であり室内の上部（天井側）が比較的高温となる温度分布を、比較的低温な空気を室内ユニットの吹出口から吸い込んで、室内ユニットの吸込口から吹き出すことによって循環させることができ、室内温度を均一にすることができる。従って、使用者の快適性の向上が図られる。
【００６９】
また、本発明はリモコンの操作、電気通信回線に接続された情報端末の操作、又は無線の携帯情報端末の操作により、前記可逆送風装置を遠隔制御できるようにしたので、使用者は離れた場所からいつでも空気調和機の運転を制御でき、使い勝手が大幅に向上する。
【００７０】
また、本発明は役務機関から電気通信回線を介して提供される気象情報に基づいて自動的に前記可逆送風装置の動作を制御するようにしたので、使用者側から操作を行わなくても、提供される気象情報に基づいて自動的に空気調和機の運転を制御でき、使い勝手が更に向上する。
【００７１】
また、本発明は音声認識手段を用いて前記可逆送風装置の動作を制御するようにしたことにより、体の不自由な人、リモコン等の操作に不慣れな人でも、言葉を声に出して言うだけで容易に空気調和機の運転を制御でき、使い勝手が更に向上する。
【図面の簡単な説明】
【図１】    本発明に係る空気調和機の室内ユニットの一例の側面断面図である。
【図２】    その空気調和機の制御装置の一例のブロック図である。
【図３】    その空気調和機のコンプレッサの駆動周波数の一例を示す図である。
【図４】    その空気調和機の可逆回転ファンの回転数の一例を示す図である。
【図５】    その空気調和機の冷房運転時の制御パターンを圧縮機の駆動周波数と可逆回転ファンの回転数との組み合わせで表した図である。
【図６】    その空気調和機の暖房運転時の制御パターンを圧縮機の駆動周波数と可逆回転ファンの回転数との組み合わせで表した図である。
【図７】    その空気調和機の除湿運転時の制御パターンを圧縮機の駆動周波数と可逆回転ファンの回転数との組み合わせで表した図である。
【図８】    その空気調和機の冷房運転時の制御の一例のフローチャートである。
【図９】    その場合の室内温度と設定温度との温度差の時間変化を制御パターンとの関係で示すグラフである。
【図１０】  その空気調和機の暖房運転時の制御の一例のフローチャートである。
【図１１】  その空気調和機の運転制御の流れの一例を示すフローチャート
【図１２】  リモコンの平面図である。
【図１３】  通信ネットワークを利用した空気調和機のリモートコントロールシステムの一例の概念図である。
【図１４】  従来の空気調和機の室内ユニットの側面断面図である。
【符号の説明】
１２    本体ケース
１３    吸込口
１４    吹出口
１５    案内板
１６    通風路
１７    熱交換器
１８ａ，１８ｂ  横ルーバ
１９    縦ルーバ
２０    可逆回転ファン
２１    グリル
２２    エアフィルタ
２３    ドレンパン
２４    コンプレッサ
２５    ファンモータ
２６    受信部
２７    温度検出手段
２８    リモコン
２９    音声認識部
３０    マイク
３１    記憶部
３２    比較部
３３    モード判定部
３４    回転切替部
３５    演算部
３６    通信端末
３７    ネットワーク
３８    サーバー
４０    制御部
【図１】
0003788575.tif 000002
【図２】
0003788575.tif 000003
【図３】
0003788575.tif 000004
【図４】
0003788575.tif 000005
【図５】
0003788575.tif 000006
【図６】
0003788575.tif 000007
【図７】
0003788575.tif 000008
【図８】
0003788575.tif 000009
【図９】
0003788575.tif 000010
【図１０】
0003788575.tif 000011
【図１１】
0003788575.tif 000012
【図１２】
0003788575.tif 000013
【図１３】
0003788575.tif 000014
【図１４】
0003788575.tif 000015